(57)【要約】【課題】とかく埋もれがちな個人発明家の特許等の広報、マーケティングリサーチそして商品化をいかにして効率よくしていくことができるのかの課題を有する。【解決手段】インターネット・ホームページの中で一定のルールに従い個人発明家が書込み掲載した特許等を評価・採点し合い、その結果、消費者に受け入れられるものが効率よく商品化されていく。【選択図】図１
2009123230.tif 000002
【特許請求の範囲】
【請求項１】
インターネット・ホームページ登龍門の参加者はまず、会員登録をする。会員登録者は個人発明家、一般消費者、事業者にもなれる。
【請求項１】
個人発明家が発案した特許、実用新案、商標、意匠（以下、特許等）の広報をインターネットのホームページ登龍門に書込み掲載しておこなうものである。個人発明家が書込み掲載した特許等は未商品化のものでかつ、特許庁公開番号が付与されて公開されているものに限られる。
書込み掲載内容はジャンル、タイトル、現状での問題点、問題点の解決方法、特許等の特許庁公開番号を箇条書きにする。
【請求項２】
一般消費者は自分の興味のある書込み掲載された特許等を規定項目ごとに採点およびコメントをすることができる。採点状況は個人発明家の書込み掲載の横にリアルタイムに映しだされる。
【請求項３】
事業者は特許等を商品化しようとする場合、登龍門の運営者を介して個人発明家との商品化の契約を結ぶ。商品化後、運営者に規定のプレミアムを支払う。
【請求項４】
事業者は一般消費者に商品化後、規定のマーケティングリサーチ料を支払う。
【請求項５】
商品化された特許等は、登龍門で紹介する。
【発明の詳細な説明】
【技術分野】
【０００１】本発明は、インターネット・ホームページ上で個人発明家に発案した特許等の発表場所を簡単な手続きで提供し、評価と商品化の機会を促進するシステムである。
【背景技術】
【０００２】現在、個人発明家が発案した特許等を商品化するためには、特許等を個人発明家自身が企業に売込む、発明展覧会や雑誌に投稿する、自分のホームページに掲載する、またはテレビなどのマスコミで採用されるなどの数少ない機会しかない。また、事業者が個人発明家の特許等を採用して商品化しようと場合、事業者が設定したマーケティングつまり限定的な市場調査の結果で強いられる傾向にある。【０００３】この改善策として、個人発明家が発案した特許等の公開の場所を提供し、商品化しようとする事業者にもマーケティングリサーチの機会を与えるものである。
【発明の開示】
【発明が解決しようとする課題】
【０００４】解決しようとする課題は、個人発明家のとかく埋もれがちな特許等をいかにして簡単、安価そしてスピーディーに広報するか。そして商品化にあたり、いかにして精度の高いマーケティングリサーチをおこなうことができるか。以上の２個の課題を有する。
【課題を解決するための手段】
【０００５】本発明は、特許等の広報、マーケティングリサーチそしてその商品化をおこなうインターネット・ホームページの登龍門を運営することで課題を解決する。
【発明の効果】
【０００６】本発明の登龍門は、個人発明家に特許等の広報の機会を与え、不特定の一般消費者の参加を仰ぎ精度の高いマーケティングリサーチをおこない、事業者はより多くの新商品開発の機会を得ることになる。
【発明を実施するための最良の形態】
【０００７】個人発明家、一般消費者そして事業者の三者はインターネット・ホームページの登龍門の会員登録をする。その後、個人発明家は特許等の趣旨と特許庁公開番号を箇条書にして登龍門に書込み掲載。一般消費者は自分の興味のある掲載された特許等を規定ルールに則り評価項目ごとに書込み採点。事業者は個人発明家の特許等の趣旨・特許庁公開番号を評価し、あわせて一般消費者の採点状況を把握することができる。事業者が商品化したい特許等が発見できれば登龍門の運営者経由で個人発明家と商談開始。商品化後、事業者は一定のプレミアムを登龍門の主催者に支払い、一般消費者には規定のマーケティングリサーチ料を支払う。
【実施例１】
【０００８】図１は、インターネット・ホームページの登龍門の運営者、会員の個人発明家、会員の一般消費者、会員の事業者の四者の関係をマトリクス化したところである。
【実施例２】
【０００９】図２は、登龍門に会員の個人発明家の特許等の趣旨と特許庁公開番号を掲載し、会員の一般消費者の採点状況がリアルタイムで表現されているところである。
【産業上の利用可能性】
【００１０】本発明の登龍門は、発明をより身近なものにし、今まで一般消費者、事業者の評価を受けることなく埋もれてしまっていた特許等を救済するのと同時に産業の発展に寄与する。
【図面の簡単な説明】
【００１１】
【図１】登龍門の概要を表現したマトリクス図。（実施例１）
【図２】特許等掲載と採点状況の図。（実施例２）
【符号の説明】
【００１２】  １．運営者
２．インターネット・ホームページ登龍門
３．個人発明家
４．一般消費者
５．事業者
６．登龍門の書込み欄
７．特許等の書込み
８．採点
９．閲覧
１０．個人発明家の紹介依頼
１１．事業者の紹介
１２．契約
１３．プレミアム
１４．マーケティングリサーチ料
１５．ジャンル
１６．タイトル
１７．現状の問題点及び不具合
１８．特許等のポイントの説明
１９．特許庁公開番号
２０．一般消費者採点欄
２１．ジャンル内順位
【図１】
2009123230.tif 000003
【図２】
2009123230.tif 000004
【手続補正書】
【提出日】平成21年1月25日(2009.1.25)
【手続補正１】
【補正対象書類名】特許請求の範囲
【補正対象項目名】全文
【補正方法】変更
【補正の内容】
【特許請求の範囲】
【請求項１】
インターネット・ホームページ登龍門の参加者はまず、会員登録をする。会員登録者は個人発明家、一般消費者、事業者にもなれる。また、三者の立場は自由に変更することができる。
【請求項１】
個人発明家が発案した特許、実用新案、商標、意匠（以下、特許等）の広報をインターネットのホームページ登龍門に書込み掲載しておこなうものである。個人発明家が書込み掲載した特許等は未商品化のものでかつ、特許庁公開番号が付与されて公開されているものに限られる。
書込み掲載内容はジャンル、タイトル、現状での問題点、問題点の解決方法、特許等の特許庁公開番号を箇条書きにする。
【請求項２】
一般消費者は自分の興味のある書込み掲載された特許等を規定項目ごとに評価・採点およびコメントをすることができる。
評価・採点状況は個人発明家の書込み掲載の横にリアルタイムに映しだされる。
【請求項３】
事業者は特許等を商品化しようとする場合、登龍門の運営者を介して個人発明家との商品化の契約を結ぶ。商品化後、運営者に紹介等手数料を支払う。
【請求項４】
事業者は一般消費者に商品化後、マーケティングリサーチ料を支払う。
【請求項５】
商品化された特許等は、登龍門で紹介する。
【手続補正２】
【補正対象書類名】明細書
【補正対象項目名】全文
【補正方法】変更
【補正の内容】
【発明の詳細な説明】
【技術分野】
【０００１】本発明は、インターネット・ホームページ上で個人発明家に発案した特許等の発表場所を簡単な手続きで提供し、評価と商品化の機会を促進するシステムである。
【背景技術】
【０００２】現在、個人発明家が発案した特許等を商品化するためには、特許等を個人発明家自身が企業に売込む、発明展覧会や雑誌に投稿する、自分のホームページに掲載する、またはテレビなどのマスコミで採用されるなどの数少ない機会しかない。また、事業者が個人発明家の特許等を採用して商品化しようと場合、事業者が設定したマーケティングつまり限定的な市場調査の結果しか得られない傾向にある。【０００３】この改善策として、個人発明家が発案した特許等の公開の場所を提供し、商品化しようとする事業者にもマーケティングリサーチの機会を与えるものである。
【発明の開示】
【発明が解決しようとする課題】
【０００４】解決しようとする課題は、個人発明家のとかく埋もれがちな特許等をいかにして簡単、安価そしてスピーディーに広報するか。そして事業者が商品化するにあたり、いかにして精度の高いマーケティングリサーチをおこなうことができるか。以上の２個の課題を有する。
【課題を解決するための手段】
【０００５】本発明は、特許等の広報、マーケティングリサーチそしてその商品化をおこなうインターネット・ホームページの登龍門を運営することで課題を解決する。
【発明の効果】
【０００６】本発明の登龍門は、個人発明家に特許等の広報の機会を与え、不特定の一般消費者の参加を仰ぎ精度の高いマーケティングリサーチをおこない、事業者はより多くの新商品開発の機会を得ることになる。
【発明を実施するための最良の形態】
【０００７】個人発明家、一般消費者そして事業者の三者はインターネット・ホームページの登龍門の会員登録をする。会員登録後は三者の立場を自由に変更することができる。個人発明家は特許等の趣旨と特許庁公開番号を箇条書にして登龍門に書込み掲載する。一般消費者は自分の興味のある掲載された特許等を規定ルールに則り評価項目ごとに書込み評価・採点する。事業者は個人発明家の特許等の趣旨・特許庁広報を評価し、あわせて一般消費者の評価・採点状況を把握することができる。事業者が商品化したい特許等が発見できれば登龍門の運営者経由で個人発明家と商談開始する。商品化後、事業者は手数料を登龍門の運営者に支払い、一般消費者にはマーケティングリサーチ料を支払う。
【実施例１】
【０００８】図１は、インターネット・ホームページの登龍門の運営者、会員の個人発明家、会員の一般消費者、会員の事業者の四者の関係をマトリクス化したところである。
【実施例２】
【０００９】図２は、登龍門に会員の個人発明家の特許等の趣旨と特許庁公開番号を掲載し、会員の一般消費者の評価・採点状況がリアルタイムに表現されているところである。
【産業上の利用可能性】
【００１０】本発明の登龍門は、発明をより身近なものにし、今まで一般消費者、事業者の評価を受けることなく埋もれてしまっていた特許等を救済するのと同時に産業の発展に寄与する。
【図面の簡単な説明】
【００１１】
【図１】登龍門の概要を表現したマトリクス図。（実施例１）
【図２】特許等掲載と評価・採点状況の図。（実施例２）
【符号の説明】
【００１２】  １．運営者
２．インターネット・ホームページ登龍門
３．個人発明家
４．一般消費者
５．事業者
６．登龍門の書込み欄
７．特許等の書込み
８．評価・採点
９．閲覧
１０．個人発明家の紹介依頼
１１．事業者の紹介
１２．契約の締結
１３．手数料支払い
１４．マーケティングリサーチ料
１５．ジャンル
１６．タイトル
１７．現状の問題点及び不具合
１８．特許等のポイントの説明
１９．特許庁公開番号
２０．一般消費者評価・採点欄
２１．ジャンル内順位
【手続補正４】
【補正対象書類名】図面
【補正対象項目名】全図
【補正方法】変更
【補正の内容】
【図１】
2009123230.tif 000005
【図２】
2009123230.tif 000006